(57)【要約】【課題】  画像データを順次表示していくスライドショーにおいて、単一の画像データに関連付けられた撮影情報に基づいて表示形態を決定する方法では、十分な表示効果を行うことができなかった。【解決手段】  複数の画像データのおのおのに対して関連付けられた情報から各画像の表示形態を決定することにより、より効果的な表示を行うことを可能にする。特に、連続撮影された画像のような関連した一連の画像のスライドショー再生を行う際に視覚効果の高い表示を行うことを可能にする。【選択図】  図２
2008042256.tif 000002
【特許請求の範囲】
【請求項１】
画像を連続的に表示する画像表示方法において、
関連する複数の画像を抽出するための関連画像抽出工程と、
前記関連画像抽出工程が抽出した画像のおのおのと関連付けられた撮影情報を取得する撮影情報取得工程と、
前記撮影情報取得工程が取得した各画像の撮影情報に基づいて個々の画像の表示形態を判断する表示形態判断工程とを備えることを特徴とする画像表示方法。
【請求項２】
前記撮影情報取得工程が取得した各画像の撮影情報に基づいて、前記関連画像抽出工程が抽出した複数の画像の中から、表示に使用する画像を少なくとも一つ以上選択する表示画像選択工程を有し、
前記表示形態判断工程は、前記表示画像選択工程が選択した少なくとも一つ以上の画像の表示形態を判断する工程であることを特徴とする請求項１記載の画像表示方法。
【請求項３】
前記関連画像抽出工程は、連続撮影された一連の画像を抽出する工程であることを特徴とする請求項１又は２記載の画像表示方法。
【請求項４】
前記表示形態判断工程は、前記個々の画像の表示位置、表示倍率、表示時間、表示サイズ、表示明度、表示コントラスト及び表示角度のうちの少なくとも一つを判断する工程であることを特徴とする請求項１乃至３の何れか１項に記載の画像表示方法。
【請求項５】
前記撮影情報は、前記画像とともに一つのファイルを構成していることを特徴とする請求項１乃至４の何れか１項に記載の画像表示方法。
【請求項６】
前記撮影情報は、撮影位置に関する情報、撮影方位に関する情報、被写体距離に関する情報、焦点距離に関する情報、焦点位置に関する情報及び撮影装置の角度に関する情報のうちの少なくとも一つを含むことを特徴とする請求項１乃至５の何れか１項に記載の画像表示方法。
【請求項７】
請求項１乃至６の何れか１項に記載の画像表示方法をコンピュータに実行させるためのプログラム。
【請求項８】
画像を連続的に表示する機能を有する画像表示装置において、
関連する複数の画像を抽出するための関連画像抽出手段と、
前記関連画像抽出手段が抽出した画像のおのおのと関連付けられた撮影情報を取得する撮影情報取得手段と、
前記撮影情報取得手段が取得した各画像の撮影情報に基づいて個々の画像の表示形態を判断する表示形態判断手段とを備えることを特徴とする画像表示装置。
【請求項９】
前記撮影情報取得手段が取得した各画像の撮影情報に基づいて、前記関連画像抽出手段が抽出した複数の画像の中から、表示に使用する画像を少なくとも一つ以上選択する表示画像選択手段を有し、
前記表示形態判断手段は、前記表示画像選択手段が選択した少なくとも一つ以上の画像の表示形態を判断する手段であることを特徴とする請求項８記載の画像表示装置。
【発明の詳細な説明】
【技術分野】
【０００１】
本発明は、画像を連続的に表示するための画像表示方法、画像表示装置及びプログラムに関する。
【背景技術】
【０００２】
近年、デジタルスチールカメラやデジタルビデオカメラの普及に伴い、電子化された静止画や動画を扱うケースが増えてきている。電子化された静止画や動画を再生する方法として、画像データを順次表示していくスライドショーと呼ばれるものがしばしば用いられる。スライドショーは、パーソナルコンピュータを用いてディスプレイ上に再生するだけでなく、最近では、テレビ受像機や、ＤＶＤプレーヤなどの再生装置においても同様の機能が実現可能になってきている。
【０００３】
従来、スライドショーを効果的に行う方法として、画像データに関連付けられた情報に基づいてズーミング処理を行う方法があった（例えば、特許文献１参照）。また、画像の状態に応じて再生時間を変える方法があった（例えば、特許文献２参照）。
【０００４】
【特許文献１】特開２００５−１２６７４号公報
【特許文献２】特開２００４−３２０３７９号公報
【発明の開示】
【発明が解決しようとする課題】
【０００５】
しかしながら、特許文献１に開示された技術では、単一の画像データに関連付けられた情報に基づいてその画像の表示形態を決定しており、より効果的な再生を行うためには十分ではなかった。特許文献２に開示された技術においても、同様に単一の画像データの状態のみで再生時間を制御しており、効果としては不十分な場合があった。例えば、１秒間に数枚の写真を連続的に撮影可能なデジタルカメラがあるが、連続撮影された一連の画像については、単一の画像データに関連付けられた情報から表示形態を決定するだけでは連続撮影としてのメリットが得られない。連続撮影のケースに限らず、画像データはその撮影時刻と近い時刻に撮影された他の画像データと意味的に関連している場合が多いが、従来の方法ではそれを利用した表示形態を採ることができなかった。
【０００６】
そこで、本発明は、複数の画像データのおのおのに関連付けられた情報から各画像の表示形態を決定することにより、より効果的な表示を行うことが可能な画像表示方法およびそれを実行するプログラム並びに画像表示装置を提供することを目的とする。特に、連続撮影された画像のような関連した一連の画像のスライドショー再生を行う際に効果的な表示を行うことが可能な画像表示装置を提供することを目的とする。
【課題を解決するための手段】
【０００７】
本発明の画像表示方法は、画像を連続的に表示する画像表示方法において、関連する複数の画像を抽出するための関連画像抽出工程と、前記関連画像抽出工程が抽出した画像のおのおのと関連付けられた撮影情報を取得する撮影情報取得工程と、前記撮影情報取得工程が取得した各画像の撮影情報に基づいて個々の画像の表示形態を判断する表示形態判断工程とを備えることを特徴とする。
本発明の画像表示装置は、画像を連続的に表示する機能を有する画像表示装置において、関連する複数の画像を抽出するための関連画像抽出手段と、前記関連画像抽出手段が抽出した画像のおのおのと関連付けられた撮影情報を取得する撮影情報取得手段と、前記撮影情報取得手段が取得した各画像の撮影情報に基づいて個々の画像の表示形態を判断する表示形態判断手段とを備えることを特徴とする。
【発明の効果】
【０００８】
本発明により、より視覚効果の高い魅力的なスライドショー表示を行うことが可能となる。特に、連続撮影された画像のように、関連した一連の画像のスライドショーを行う際に臨場感のある視覚効果をもたらすことが可能となる。
【発明を実施するための最良の形態】
【０００９】
以下、本発明を適用した好適な実施形態を、添付図面を参照しながら詳細に説明する。
【００１０】
＜第１の実施形態＞
本発明の第１の実施形態について画像表示装置を例に説明する。本実施形態の画像表示装置の構成について、図１のブロック図を参照して説明する。
【００１１】
図１において、ＣＰＵ１０１は、システム制御部であり、装置全体を制御する。ＲＯＭ１０２は、ＣＰＵ１０１の制御プログラムや各種固定データを格納するものである。ＲＡＭ１０３は、ＳＲＡＭ、ＤＲＡＭ等で構成され、プログラム制御変数等を格納するためのものである。また、各種設定パラメータ、各種ワーク用バッファ等もＲＡＭ１０３に格納されるものである。
【００１２】
画像処理部１０４は、各種画像処理を行うものであり、画像データのエンコードやデコード、動画データの加工処理、画像の合成などを行うためのものである。チューナ部１０５は、不図示のアンテナより受信した放送信号に対して復調や誤り訂正等を行うものである。
【００１３】
カードスロット制御部１０６はメモリカードスロット１０７を制御し、メモリカードへのデータの書き込みやメモリカードからのデータの読み込みを行うためのものである。
【００１４】
メモリカードスロット１０７は着脱可能なメモリカードを接続し、カードスロット制御部１０６の制御によりデータの読み書きを行うためのものである。
【００１５】
表示制御部１０８は表示部１０９への表示情報を制御するものである。表示部１０９はＬＣＤ、ＬＥＤなどから構成され、動画を含む画像データの表示や、オペレータに対する各種通知を行うためのものである。
【００１６】
操作部１１０は、ハードキーやポインティングデバイス等で構成され、オペレータが各種入力操作を行うためのものである。
【００１７】
音声出力部１１１は、動画データに含まれる音声信号の再生や、オペレータに対して音声による各種通知を行うためのものである。１０２は１０１〜１１１の各ユニットを通信可能に接続するシステムバスである。
【００１８】
本画像表示装置においては、着脱可能なメモリカード内に保存された画像データを、メモリカードスロット１０７およびカードスロット制御部１０６を経由して読み込み、ＲＡＭ１０３に一時的に格納した上で表示部１０９に表示することが可能である。
【００１９】
図２は、本実施形態における処理動作を示したフローチャートである。図２の処理を行う前に、既に、すべての画像データはＲＡＭ１０３に格納されており、さらに、撮影時刻が古い順にソートされている。図２中の「Ｎ番目」とは、撮影時刻が最も過去のものから数えてＮ番目という意味である。
【００２０】
本画像処理装置は、オペレータが操作部１１０を操作することにより、ＲＡＭ１０３に格納された画像データの順次表示、すなわちスライドショーが開始される。オペレータによるスライドショー開始指示後、以下の処理を行う。
【００２１】
まず、変数Ｎに数値１を、変数ｎに数値０をそれぞれセットし、連写モードフラグをＯＦＦにセットする（Ｓ２０１）。
【００２２】
ここで、変数ＮはＲＡＭ１０３に格納された画像をカウントするためのもので、１以上の整数値を格納することができる。変数ｎは連写モードで撮影された画像をカウントするためのもので、０以上の整数値を格納することができる。
【００２３】
連写モードフラグは、同様に変数であり、ＯＦＦ、ＯＮのいずれかの値を格納することができる。
【００２４】
次に、ＲＡＭ１０３にＮ番目の画像データがあるかどうかを判断する（Ｓ２０２）。ここで、Ｎ番目の画像データがあると判断されれば、その画像データを読み出し（Ｓ２０３）、画像データと関連付けられた撮影情報を読み出す（Ｓ２０４）。
【００２５】
ここで扱う画像データは、外部のデジタルカメラで撮影されたものであり、各画像データには撮影情報が含まれている。
【００２６】
撮影情報としては、ＧＰＳにより取得した撮影時の緯度及び経度情報などの撮影位置情報、デジタルカメラ内臓の方位磁石により取得した撮影方位情報、撮影時の被写体距離情報、撮影時の焦点距離情報を含む。さらに、撮影情報には、撮影時の焦点位置情報、撮影時のデジタルカメラの水平方向に対する角度の情報、連写モードで撮影されたか否かの情報、撮影日および時刻の情報が含まれる。
【００２７】
これらの情報は全て、写真撮影時にデジタルカメラによって画像データとともに保存されたものである。
【００２８】
現在、一般的な撮影情報としてはＥｘｉｆ情報が知られているが、本実施形態では必ずしもＥｘｉｆ情報である必要はない。
【００２９】
Ｓ２０４において撮影情報を読み出した後、その画像（Ｎ番目の画像）が連写モードで撮影された画像か否かを判断する（Ｓ２０５）。すなわち、画像と関連付けられた情報に連写モードで撮影したことを示す情報があるかどうかを判断する。
【００３０】
図示はしていないが、厳密には、Ｓ２０５では連写モードフラグがＯＮの場合には撮影時刻情報も読み取り、Ｎ−１番目の画像と同じ連写操作で撮影されたものか否かを判断する。
【００３１】
これは、ある一連の連写モードの画像が続いた後に、別の機会に撮影された連写画像が連なる場合に、それらの表示処理を別々に行うためである。
【００３２】
なお、ここでは、画像と関連付けられた情報に連写モードで撮影したことを示す情報があるかどうかをもとに判断しているが、撮影時刻情報を用いて、撮影時刻の間隔が所定値より短ければ連写モードで撮影された画像であると判断しても良い。
【００３３】
Ｓ２０５で、その画像が連写モードで撮影された画像ではないと判断されれば、連写モードフラグがＯＮかどうかを確認し（Ｓ２０６）、ＯＮでなければ読み出した撮影情報に基づいてＮ番目の画像の表示形態を決定する（Ｓ２０７）。
【００３４】
ここで、表示形態を決定するとは、画面上の画像の表示位置、画像の表示倍率、画像を表示する時間、画像の表示サイズ、画像の表示明度、画像の表示コントラスト、画像の表示角度（矩形画像の四辺のうちどの辺を上にするか）を決定することである。そして、決定した表示形態でその画像を表示する（Ｓ２０８）。
【００３５】
Ｓ２０８で画像を表示した後は、変数Ｎに１を加え（Ｓ２０９）、Ｓ２０２の処理へ戻り、以降の処理を繰り返す。
【００３６】
Ｓ２０５において、Ｎ番目の画像が連写モードで撮影された画像であると判断された場合には、連写モードで撮影された一連の画像の取得を行う。すなわち、連写モードフラグをＯＮにし（Ｓ２１０）、変数ｎと変数Ｎにそれぞれ１を加えた後（Ｓ２１１、Ｓ２１２）、Ｓ２０２の処理へ戻る。
【００３７】
以降、Ｓ２０２からＳ２１２までの処理を繰り返すわけだが、Ｓ２０５において連写モードで撮影された画像ではないと判断されれば、それはすなわち連写モードで撮影された一連の画像の読み出しをすべて行ったことを意味する。
【００３８】
連写モードＯＮ時の場合、Ｓ２０５において連写モードで撮影された画像ではないと判断されれば、Ｓ２０６で連写モードフラグがＯＮかどうかを判断し、Ｓ２１４の処理へ移行する。
【００３９】
Ｓ２１４では、Ｎ−ｎ番目の画像からＮ−１番目の画像まで計ｎ−１個の画像のうち、実際に表示する画像を決定する。表示するか否かの判断は、読み出した撮影情報に基づいて行う。例えば、撮影時刻が最も早い画像と、最も遅い画像と、ちょうど中間に位置する画像の３個の画像を選択するようにしても良いし、すべての画像を表示するよう決定しても良い。
【００４０】
続いて、Ｓ２１４で選択した各表示画像の撮影情報に基づいて、各画像の表示形態を決定する（Ｓ２１５）。Ｓ２１５での処理の詳細は、図４を用いて後述する。
【００４１】
Ｓ２１５の処理に続いて、各画像を決定した表示形態で順次表示する（Ｓ２１６）。順次表示を行う際には、音声出力部１１１から効果音を再生しても良い。例えば、カメラのシャッタ音を連続的に再生すると連写モードらしい効果が得られる。
【００４２】
Ｓ２１６の処理の後は、変数ｎに０をセットし、連写モードフラグをＯＦＦにした上で（Ｓ２１７）、Ｓ２０２の処理へ移行する。
【００４３】
Ｓ２０２でＮ番目の画像データがないと判断された場合には、連写モードフラグがＯＮかどうかを判断する（Ｓ２１３）。ここで、連写モードがＯＦＦであれば処理を終了し、連写モードがＯＮであればＳ２１４以降の処理を行うことにより、連写画像の順次表示を行う。
【００４４】
Ｓ２１３で連写モードフラグがＯＮかどうかを判断しているのは、連写モードフラグがＯＮのとき、すなわち連写モードで撮影された画像データの処理を順次読み取っているときに、Ｓ２０２においてＮ番目の画像がないと判断されるケースがあり得るからである。
【００４５】
その場合は、前述のとおりＳ２１４以降の処理を行うことにより連写モードで撮影された一連の画像を順次表示した後で、結果としてスライドショーを終了することになる。
【００４６】
図２のフローチャートでは、全画像の処理を行った後でスライドショーを終了する流れになっているが、再び最初の画像に戻ってスライドショーを繰り返すようにしても良い。
【００４７】
また、本実施形態では、スライドショー中に表示形態を決定するような構成になっているが、あらかじめ全画像の表示形態を決定した上でスライドショーの再生を行うようにしても良い。
【００４８】
図３は、連写モードで撮影された一連の画像を模式的に表した図である。撮影時刻が早い順に（ａ）、（ｂ）、（ｃ）、（ｄ）である。
【００４９】
図４は、図３に示した画像をスライドショーで表示する際の表示形態の決定方法を示すフローチャートである。Ｓ２１５においては、図４のフローチャートに示した処理が行われる。
【００５０】
まず、読み出した撮影情報のうち、各画像の撮影時の方位情報に基づいて、画面の右端に表示する画像と左端に表示する画像を決定する（Ｓ４０１）。
【００５１】
例えば、方位が真北のときを０度と表現する場合、図３（ａ）の画像の方位情報が０度、図３（ｂ）の方位情報が２０度、図３（ｃ）の方位情報が４０度、図３（ｄ）の方位情報が６０度となってものとする。この場合、左端に表示する画像は図３（ａ）、右端に表示する画像は図３（ｂ）と判断することができる。
【００５２】
ここでは、連写モードで撮影された画像のうち最初の画像が左端、最後の画像が右端となる例を示したが、方位情報の変化によっては途中の画像が端に位置することもある。
【００５３】
次に、連写モードで撮影された画像の枚数から、各画像の表示サイズを決定する（Ｓ４０２）。
【００５４】
本実施形態では、あらかじめＲＯＭ１０２に画像枚数と表示サイズの参照テーブルを持っており、そのテーブルから表示サイズを決定する。画像の表示サイズを決定することにより、画面の左上を原点とした場合の、右端に表示する画像の左上角のＸ座標が決まる。左端に表示する画像の左上角のＸ座標は固定で０とする。
【００５５】
続いて、左端に表示する画像の左上角のＸ座標（ここでは０）と、右端に表示する画像の左上角のＸ座標を用いて、各画像の表示位置を決定する（Ｓ４０３）。
【００５６】
ここでは、左端と右端の画像の間に２個の画像を均等に配置するようにＸ座標を決定する。なお、Ｙ座標はあらかじめ決められた固定値である。
【００５７】
この処理により、連写モードで撮影されたすべての画像の表示位置が決定された。
【００５８】
さらに、連写モードで撮影された最初の画像と最後の画像の撮影時刻の差と表示画像の枚数から各画像の表示時間を決定する（Ｓ４０４）。
【００５９】
例えば、撮影時刻の差が２秒で、画像の枚数が４枚であれば、毎秒２コマずつ撮影されたものであると判断できる。本実施形態では、この値をもとに撮影時間を決定する。
【００６０】
例えば、再生時に同様に毎秒２画像ずつ表示しても良いし、半分の速度（毎秒１画像）で表示しても良い。
【００６１】
以上の処理により、連写モードで撮影された各画像の表示形態が決定される。
【００６２】
図５は、以上の処理を行って表示されるスライドショーの再生の様子を模式的に示したものである。同図に示したように、画像の表示位置が撮影時の方位情報と同様に左から右へと移動するため、臨場感のある効果を得ることができる。
＜第２の実施形態＞
続いて、本発明の第２の実施形態について画像表示装置を例に説明する。図１に示した装置構成のブロック図と図２に示した処理動作のフローチャートは、第１の実施形態と第２の実施形態では共通である。
【００６３】
以下、図６乃至図８を用いて、第２の実施形態における画像処理装置の動作を示す。図６は、連写モードで撮影された一連の画像を模式的に表した図である。撮影時刻が早い順に（ａ）、（ｂ）、（ｃ）である。
【００６４】
図６に示した撮影画像においては、図６（ａ）から図６（ｃ）への時間経過中に被写体と撮影装置との距離が短くなっており、そのため、図６（ａ）から図６（ｃ）へ移行するに連れて被写体が段階的にズームアップしているように見えている。
【００６５】
図７は、図６に示した画像をスライドショーで表示する際の表示形態の決定方法を示すフローチャートである。すなわち、図２のＳ２１５においては、図７のフローチャートに示した処理が行われる。
【００６６】
まず、読み出した撮影情報の中から、各画像の撮影時の焦点距離情報を抽出し、焦点距離が最も遠い画像と最も近い画像を判断し、それらの表示サイズを決定する（Ｓ７０１）。ここでは、焦点距離情報から判断を行っているが、被写体距離情報から判断しても良い。
表示サイズについては、ここでは、あらかじめ最小表示サイズと最大表示サイズが決められており、焦点距離が最も遠い画像は最小表示サイズで表示し、焦点距離が最も血合い画像は最大表示サイズで表示するものとする。
【００６７】
次に、連写モードで撮影された画像の枚数から、焦点距離が最も遠い画像と最も近い画像以外の各画像の表示サイズをすべて決定する（Ｓ７０２）。ここでは、焦点距離が遠い方がより小さい表示サイズになるよう表示サイズを決定する。
【００６８】
続いて、Ｓ７０３において、各画像の表示サイズから画像の表示位置を決定する。ここでは、各画像が画面の中央に配置されるよう表示位置を決定する。ここで、焦点位置情報も抽出し、焦点位置が画面の中央に位置するよう配置しても良い。
【００６９】
そして、Ｓ７０４で、連写モードで撮影された最初の画像と最後の画像の時間差と画像の枚数から各画像の表示時間を決定する。これは図４のＳ４０４と同様の処理である。
【００７０】
図7のフローチャートに示した処理では、画像の表示サイズと表示位置、表示時間を決定しているが、この他、画像の明度やコントラストを決定しても良い。例えば、小さく表示する画像は明度を落としたり、コントラストを低くしたりすることにより、遠近感をもたらすことも可能になる。また、撮影時のデジタルカメラの水平方向に対する角度の情報を利用し、画像を表示する角度を決定しても良い。縦方向の画像は縦に表示し、横方向の画像は横に表示するようにすることも可能である。
【００７１】
図８は、以上の処理を行って表示されるスライドショーの再生の様子を模式的に示したものである。同図に示したように、画像の表示サイズが焦点距離に応じて変化するため、被写体と撮影者が近づいている様子を際立てることが可能となり、迫力のある効果を得ることができる。
【００７２】
以上、第１の実施形態と第２の実施形態について説明したが、本発明は、静止画の画像データに限らず、動画データに関しても同様に適用可能である。
【００７３】
また、本発明は、単体のディスプレイ装置に限らず、デジタルカメラ等に付属している小型ディスプレイ装置や、テレビジョン受像機、表示機能を有するＤＶＤプレーヤ、ハードディスクレコーダなどにも、適用し得るものである。
【００７４】
また、本発明の目的は、前述した実施形態の機能を実現するソフトウェアのプログラムコードを記録した記憶媒体をシステム或いは装置に供給し、そのシステム等のコンピュータが記憶媒体からプログラムコードを読み出し実行することによっても達成される。
【００７５】
この場合、記憶媒体から読み出されたプログラムコード自体が前述した実施形態の機能を実現することになり、プログラムコード自体及びそのプログラムコードを記憶した記憶媒体は本発明を構成することになる。
【００７６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７７】
また、コンピュータが読み出したプログラムコードの指示に基づき、コンピュータ上で稼動しているＯＳ等が実際の処理の一部又は全部を行い、その処理によって前述した実施形態の機能が実現される場合も含まれる。
【００７８】
さらに、記憶媒体から読み出されたプログラムコードが、コンピュータに接続された機能拡張ユニット等に備わるメモリに書込まれた後、そのプログラムコードの指示に基づきＣＰＵ等が実際の処理を行い、前述した実施形態の機能が実現される場合も含まれる。
【図面の簡単な説明】
【００７９】
【図１】本発明の第１及び第２の実施形態による情報処理装置の構成を示すブロック図である。
【図２】本発明の第１及び第２の実施形態による情報処理装置の動作を示すフローチャートである。
【図３】本発明の第１及び第２の実施形態による連続撮影の画像データを模式的に表した図である。
【図４】本発明の第１の実施形態による情報処理装置の動作を示すフローチャートである。
【図５】本発明の第１の実施形態による連続撮影の画像データを画面上に表示する様子を模式的に示した図である。
【図６】本発明の第２の実施形態による連続撮影の画像データを模式的に表した図である。
【図７】本発明の第２の実施形態による情報処理装置の動作を示すフローチャートである。
【図８】本発明の第２の実施形態による連続撮影の画像データを画面上に表示する様子を模式的に示した図である。
【符号の説明】
【００８０】
１０１  ＣＰＵ
１０２  ＲＯＭ
１０３  ＲＡＭ
１０４  画像処理部
１０５  チューナ部
１０６  カードスロット制御部
１０７  メモリカードスロット
１０８  表示制御部
１０９  表示部
１１０  操作部
１１１  音声出力部
【図１】
2008042256.tif 000003
【図２】
2008042256.tif 000004
【図３】
2008042256.tif 000005
【図４】
2008042256.tif 000006
【図５】
2008042256.tif 000007
【図６】
2008042256.tif 000008
【図７】
2008042256.tif 000009
【図８】
2008042256.tif 000010